(57)【要約】【課題】帯を使用することなく積層平海苔束の全周を紙で巻くことができ、紙巻きした積層平海苔束はそのまま短冊状に切断して紙で巻かれた短冊状海苔束にすること可能な紙を巻いた積層平海苔束の製造方法及び製造装置を提供。【解決手段】積層平海苔束整列装置１で積層平海苔束の側面を揃えて整列させる工程、揃えて整列させた積層平海苔束を紙の上に載せる工程、紙巻き装置２で紙の上に載せた揃えた積層平海苔束の上面を押圧板で押さえて積層平海苔束を圧縮させる工程、前記工程で押圧板で押さえて圧縮させた積層平海苔束を押圧板とともに紙で巻き、押圧板上で巻いて重ねた紙の端部を接着する工程、紙を巻いた積層平海苔束を押圧板から押し出して押圧板から分離し、搬出する工程からなる。紙巻きされた積層平海苔束は、切断装置切断され、紙で巻いた短冊状の平海苔束が得られる。【選択図】図１
2019006495.tif 000002
【特許請求の範囲】
【請求項１】
積層平海苔束の側面を揃えて整列させる工程、
前記工程で揃えて整列させた積層平海苔束を紙の上に載せる工程、
前記工程で紙の上に載せた前記揃えた積層平海苔束の上面を押圧板で押さえて積層平海苔束を圧縮させる工程、
前記工程で押圧板で押さえて圧縮させた積層平海苔束を押圧板とともに紙で巻き、押圧板上で巻いて重ねた紙の端部を接着する工程、
前記工程で紙を巻いた積層平海苔束を押圧板から押し出して押圧板から分離し、搬出する工程からなることを特徴とする紙を巻いた積層平海苔束の製造方法。
【請求項２】
請求項１に記載の紙を巻いた紙巻き積層平海苔束の製造方法で製造された紙を巻いた積層平海苔束を短冊状に切断することを特徴とする紙を巻いた積層平海苔束の製造方法。
【請求項３】
搬入された積層平海苔束の側面を揃えて整列させる積層平海苔束整列装置、前記積層平海苔束整列装置に隣接して配置されて前記積層平海苔束整列装置から搬入された整列された積層平海苔束に紙を巻く紙巻き装置を備えた積層平海苔束用紙巻き装置において、
前記積層平海苔束整列装置は、
積層平海苔束の搬入方向に直交する向きに平行に配置された複数本のロール、
積層平海苔束の搬出側の前記ローラの間から上下動により出入りするストッパー、
前記ローラの紙巻き装置側の端で且つローラの軸方向に直交する方向に配置されて、前記ローラの端から上下動により出入りする整列板、
前記整列板と対向する側に配置されて、前記ストッパーで停止した積層平海苔束を整列板の方向に押して当接させて整列させた積層平海苔束を前記紙巻き装置に送り込むプッシャーを備え、
前記紙巻き装置は、
紙を支持する紙支持板、
前記紙支持板紙の両側に配置されて、紙支持板と同一レベルで紙を支持し、上昇して前記支持された紙を起立させる起立用平板と、起立用平板の下から紙支持板へ向かって前進して紙を曲げる櫛状の曲げ板を有する紙曲げ装置、
前記紙支持板の上方に、積層平海苔束に紙を巻く際に待機位置から下降して積層平海苔束の上面を押圧板で押さえて積層平海苔束を圧縮し、紙巻き後に上昇して待機位置に戻る積層平海苔束押圧板、
前記積層平海苔束押圧板上で巻いて重ねた紙の端部を接着する紙接着装置、
前記積層平海苔束押圧板の積層平海苔束搬入側と反対側の下方に配置され、前進して紙巻きされた積層平海苔束を押して積層平海苔束押圧板から分離するプッシャーを備えていることを特徴とする積層平海苔束用紙巻き装置。
【請求項４】
請求項３に記載の積層平海苔束用紙巻き装置の後段に紙巻きされた積層平海苔束を短冊状に切断する切断装置を配置したことを特徴とする積層平海苔束用紙巻き装置。
【発明の詳細な説明】
【技術分野】
【０００１】
本発明は、紙を巻いた積層平海苔束の製造方法及び製造装置に関する。
【背景技術】
【０００２】
平海苔を重ねた積層平海苔束を文庫紙で両側から挟み、文庫紙の外側を帯で巻き回して帯の一端側と他端側を接着する海苔用自動重ね帯巻き装置が提案されている（特許文献１参照）。
【０００３】
文庫巻きされた積層平海苔束は次の加工工程あるいは加工業者に供給され、文庫紙及び帯を取り除き、積層平海苔束を２切、３切、４切りなどして短冊状に切断加工され、短冊状の海苔はおにぎり用、軍艦巻き用、手巻き用、味付け海苔用、焼海苔用などに利用されている（特許文献２，３参照）。
【先行技術文献】
【特許文献】
【０００４】
【特許文献１】特開平３−２１２３１７号公報
【特許文献２】特開２００３−２６０６８７号公報
【特許文献３】特開２０１２−０４４８９９号公報
【発明の概要】
【発明が解決しようとする課題】
【０００５】
前記特許文献１に記載されている海苔用自動重ね帯巻き装置では、帯を巻いて帯の一端側と他端側を接着するため、帯を文庫紙の外方から巻き回して帯の他端側と一端側とを接着材を介して接着する帯巻き装置を必要とするので、装置が複雑になるという問題があった。
【０００６】
また、前記特許文献１に記載されている文庫紙で挟んで帯で留めた積層平海苔束を後工程で短冊状に切断加工する場合、そのまま切断加工すると文庫紙や帯が切断されてバラバラになるため、切断加工前に文庫紙及び帯を手作業により取り除く作業が必要となるので、取り除く作業に手間がかかるだけでなく、文庫紙や帯を取り除いた後に重ねた積層平海苔がずれたりすることで切断工程に適正に供給されなくて切断後に正しい寸法に切断されない場合があった。
【０００７】
また切断後の短冊状の海苔束は、バラバラの状態なのでそのままでは取り扱いにくく、そのために包装しなければならないという欠点があった。
【０００８】
そこで、本発明は、帯を使用することなく積層平海苔束の全周を紙で巻くことができ、紙巻きした積層平海苔束はそのまま短冊状に切断して紙で巻かれた短冊状海苔束にすること可能な紙を巻いた積層平海苔束の製造方法及び製造装置を提供するものである。
【課題を解決するための手段】
【０００９】
本願請求項１の発明は、積層平海苔束の側面を揃えて整列させる工程、前記工程で揃えて整列させた積層平海苔束を紙の上に載せる工程、前記工程で紙の上に載せた前記揃えた積層平海苔束の上面を押圧板で押さえて積層平海苔束を圧縮させる工程、前記工程で押圧板で押さえて圧縮させた積層平海苔束を押圧板とともに紙で巻き、押圧板上で巻いて重ねた紙の端部を接着する工程、前記工程で紙を巻いた積層平海苔束を押圧板から押し出して押圧板から分離し、搬出する工程からなることを特徴とする紙を巻いた積層平海苔束の製造方法である。
【００１０】
本願請求項２の発明は、請求項１に記載の紙を巻いた紙巻き積層平海苔束の製造方法で製造された紙を巻いた積層平海苔束を短冊状に切断することを特徴とする紙を巻いた積層平海苔束の製造方法である。
【００１１】
本願請求項３の発明は、搬入された積層平海苔束の側面を揃えて整列させる積層平海苔束整列装置、前記積層平海苔束整列装置に隣接して配置されて前記積層平海苔束整列装置から搬入された整列された積層平海苔束に紙を巻く紙巻き装置を備えた積層平海苔束用紙巻き装置において、前記積層平海苔束整列装置は、積層平海苔束の搬入方向に直交する向きに平行に配置された複数本のロール、積層平海苔束の搬出側の前記ローラの間から上下動により出入りするストッパー、前記ローラの紙巻き装置側の端で且つローラの軸方向に直交する方向に配置されて、前記ローラの端から上下動により出入りする整列板、前記整列板と対向する側に配置されて、前記ストッパーで停止した積層平海苔束を整列板の方向に押して当接させて整列させた積層平海苔束を前記紙巻き装置に送り込むプッシャーを備え、前記紙巻き装置は、紙を支持する紙支持板、前記紙支持板紙の両側に配置されて、紙支持板と同一レベルで紙を支持し、上昇して前記支持された紙を起立させる起立用平板と、起立用平板の下から紙支持板へ向かって前進して紙を曲げる櫛状の曲げ板を有する紙曲げ装置、前記紙支持板の上方に、積層平海苔束に紙を巻く際に待機位置から下降して積層平海苔束の上面を押圧板で押さえて積層平海苔束を圧縮し、紙巻き後に上昇して待機位置に戻る積層平海苔束押圧板、前記積層平海苔束押圧板上で巻いて重ねた紙の端部を接着する紙接着装置、前記積層平海苔束押圧板の積層平海苔束搬入側と反対側の下方に配置され、前進して紙巻きされた積層平海苔束を押して積層平海苔束押圧板から分離するプッシャーを備えていることを特徴とする積層平海苔束用紙巻き装置である。
【００１２】
本願請求項４の発明は、請求項３に記載の積層平海苔束用紙巻き装置の後段に紙巻きされた積層平海苔束を短冊状に切断する切断装置を配置したことを特徴とする積層平海苔束用紙巻き装置である。
【発明の効果】
【００１３】
本発明で製造された紙が巻かれた積層平海苔束は、海苔を挟んだ紙の周りを帯で巻くことなく紙の端部を重ねて接着するだけ製造できるため、帯巻きを必要としないので、製造工程及び製造装置が簡素化される。
【００１４】
本発明で製造される紙が巻かれた積層平海苔束は、後工程の短冊状に切断する工程において、切断前に文庫紙や帯を除去する必要がないために文庫紙や帯の除去作業の手間が省けるとともに、積層海苔束がずれることなく揃った状態でそのまま切断できるので、正確な寸法で切断可能となる。
【００１５】
本発明の積層平海苔束用紙巻き装置で製造された紙が巻かれた積層平海苔束は、文庫紙や帯を除去することなくそのまま切断でき、切断後の短冊状海苔束は紙が巻かれた状態なので、取扱い易いという利点がある。
【図面の簡単な説明】
【００１６】
【図１】本発明の紙を巻いた積層平海苔束の製造装置の配置図である。
【図２】（ａ）本発明による積層平海苔束整列装置を示し、（ａ）は概略平面図、（b）は概略正面図である。
【図３】本発明による紙巻き装置と紙供給装置を示し、（ａ）は概略平面図、（b）は概略正面図である。
【図４】本発明による積層平海苔束整列装置の動作の説明図で、（ａ）は概略平面図、（b）は概略正面図である。
【図５】本発明による積層平海苔束整列装置と紙供給装置の動作の説明図で、（ａ）は概略平面図、（b）は概略正面図である。
【図６】本発明による紙巻き装置の動作の説明図で、（ａ）は概略平面図、（b）は概略正面図である。
【図７】本発明による紙巻き装置の紙曲げ動作の説明図で、（ａ）は概略平面図、（b）は概略正面図である。
【図８】本発明による紙巻き装置の動作の説明図で、（ａ）は概略平面図、（b）は概略正面図である。
【図９】本発明による積層平海苔束整列装置の動作の説明図である。
【図１０】切断装置の説明図である。
【発明を実施するための形態】
【００１７】
本発明の製造装置について図面を参照しながら説明する。
【実施例１】
【００１８】
図１において、本発明の紙を巻いた積層平海苔束の製造装置は、搬入された積層平海苔束の側面を揃えて整列させる積層平海苔束整列装置１、この積層平海苔束整列装置１から送り込まれた積層平海苔束に紙を巻く紙巻き装置２、紙巻き装置２へ紙を供給する紙供給装置３を備えている。なお、図１においては、本発明の紙を巻いた積層平海苔束の製造装置の後工程にコンベヤ４を介して紙が巻かれた積層平海苔束を複数の短冊状の海苔束に切断する切断装置５が配置された例が示されている。
【００１９】
図２において、積層平海苔束整列装置１は、搬入された積層平海苔束の縦方向及び横方向の縁を揃えて整列させた積層平海苔束を紙巻き装置へ送り出すとともに、紙巻き装置から戻された紙巻き積層平海苔束を搬出するローラ６、ストッパー７、整列板８及びプッシャー９を備えている。
【００２０】
ローラ６は、積層平海苔束の搬入方向に直交する向きに平行に複数本配置され、回転して搬入された積層平海苔束を移送する。
【００２１】
積層平海苔束整列装置１の積層平海苔束搬出側のローラ６の間には、シリンダー（図示せず）により上下動してローラ６の間から出入りする板状のストッパー７が配置されている。ストッパー７は、搬入された積層平海苔束をローラ６の回転により搬出側へ移動させて積層平海苔束の縁を当接させて整列させ、停止させる。
【００２２】
ローラ６の紙巻き装置２側の端にはローラ６に直交する方向に、シリンダー（図示せず）により上下方向に出入りする櫛状の整列板８が配置され、整列板８と対向する側には整列板８の方向に前進後退するプッシャー９が配置されている。プッシャー９は、積層平海苔束を整列板８の方向に押して整列板８に当接させて整列させる。
【００２３】
図３に示す紙巻き装置２は、図２に示す積層平海苔束整列装置１の整列板８の側に隣接して配置される。紙巻き装置２は、紙支持板１０、紙曲げ装置１１、積層平海苔束押圧板１２、紙接着装置１３及びプッシャー１４を備えている。
【００２４】
積層平海苔束に巻く紙を支持する紙支持板１０の両側には、上下動可能な紙曲げ装置１１が配置されている。紙曲げ装置１１は、待機状態では紙支持板１０とともに紙を支持するために起立用平板１５が紙支持板１０と同一水平面になるように位置し、紙を曲げる際に紙支持板１０のレベルより上に上昇する。
【００２５】
紙曲げ装置１１は、紙を縁で起立させる水平の起立用平板１５と起立用平板１５の下から出入りする櫛状の曲げ板１６を備える。水平の起立用平板１５は、上昇しながら縁で紙を持ち上げて起立させ、曲げ板１６は起立用平板１５の下から紙支持板１０へ向かって前進しながら起立させた紙を紙支持板１０上に押し倒して曲げる。なお、曲げた紙の端部を重ねるため、曲げ板１６の前進のタイミングをズラして一方の曲げ板１６が曲げた後に他方の曲げ板１６が曲げて重ねる。
【００２６】
紙支持板１０の上方には、積層平海苔束が搬入できる間隔を開けて積層平海苔束押圧板１２が配置されている。積層平海苔束押圧板１２は、積層平海苔束に紙を巻く際には待機位置から下降して積層平海苔束を押圧し、紙巻き後に待機位置に上昇して戻る。
【００２７】
積層平海苔束押圧板１２の上方に、積層平海苔束を巻いて重ねた紙の端部を接着する紙接着装置が配置される。紙接着装置１３は公知の接着手段を使用することができ、たとえば、曲げ板１６で曲げられて重なっている紙の端部に沿って前進し、リールから供給される接着テープをローラで押圧しながら端部を接着させる、あるいは、接着する端部に接着剤を塗布した紙を使用し、重ねた端部に熱風などで熱を加えて接着するヒートシールあるいは熱をかけることなく加圧ロールなどで加圧して接着するコールドシールなどの公知の接着手段を使用することができる。
【００２８】
積層平海苔束押圧板１２の積層平海苔束搬入側と反対側には、その両側の下方に前進後退するプッシャー１４が配置されている。なお、本実施例ではプッシャーは搬入される積層平海苔のストッパーを兼ねている。プッシャー１４は積層平海苔束搬入側（積層平海苔束整列装置側）に向かって前進して積層平海苔束押圧板１２とともに紙巻きされた積層平海苔束Ｓを押し、積層平海苔束押圧板１２から外して積層平海苔束整列装置１のローラ６上へ押し出す。
【００２９】
紙供給装置３は、紙を吸着させる吸盤１７を取り付けたアーム１８を備え、アーム１８は駆動装置１９により前進後退する。ストックされている紙Ｐをアーム１８に取り付けられた吸盤１７で吸着し、アーム１８を前進させて紙巻き装置２へ供給し、吸盤１７の吸引を解除してセットし、セット後に後退する。
【００３０】
上記の構成を備えた本発明の紙が巻かれた積層平海苔の製造装置の動作について説明する。
【００３１】
図４において、積層平海苔束整列装置１のストッパー７と整列板８は、積層平海苔束Ｓが搬入される前に、ローラ６のレベルより上に上昇しており、ローラ６上に搬入された積層平海苔束Ｓはストッパー７に当接して搬入方向の縁が整列されて停止する。
【００３２】
積層平海苔束Ｓがストッパー７に当接して停止した後、図５に示すように、積層平海苔束Ｓに向かってプッシャー９が前進し、積層平海苔束Ｓを整列板８に当接させて整列させた後、ストッパー７と整列板８は下降する。次いで、プッシャー９がさらに前進して整列された積層平海苔束Ｓが紙巻き装置２の紙Ｐ上へ移送される。紙Ｐは、積層平海苔束Ｓが紙巻き装置２へ移送される前に、紙供給装置３のアーム１８に取り付けた吸盤１７で紙Ｐを吸着して、アーム１８を駆動装置１９で紙巻き装置３へ移動させて紙巻き装置３の紙支持板１０及び紙曲げ装置１１の起立用平板１５の上に予めセットされている。
【００３３】
図６に示すように、紙Ｐの上に整列された積層平海苔束Ｓが搬入されると、図６に示すように、積層平海苔束押圧板１２が下降して積層平海苔束Ｓを押圧して圧縮した状態にする。次いで、紙曲げ装置１１の起立用平板１５が上昇して紙Ｐの両側を起立させる。
【００３４】
図７に示すように、紙Ｐの両側を起立させた状態で起立用平板１５の下から一方の櫛状の曲げ板１６が進出して起立した紙Ｐを積層平海苔束押圧板１２の上に曲げ、次いで他方の曲げ板１６が進出して起立した紙Ｐを先に曲げた紙の上に曲げて紙の端部を重ねる。次いで、紙接着装置１３が重ねた紙Ｐの端部に沿って前進し、接着テープを供給しながら貼着した後に退避し、次いで曲げ板１６が起立用平板１５の下に退避した後、紙曲げ装置１１は紙支持板１０のレベルの待機位置に下降し、同時に、積層平海苔束Ｓとともに紙Ｐが巻かれて一体となっている積層平海苔束押圧板１２が待機位置に上昇する。
積層平海苔束Ｓとともに積層平海苔束押圧板１２が待機位置に上昇すると、プッシャー１４が積層平海苔束整列装置１側に向かって前進して紙巻きされた積層平海苔束Ｓを押し出す。
【００３５】
図８に示すように、プッシャー１４で積層平海苔束押圧板１２から外された積層平海苔束Ｓは積層平海苔束整列装置１のローラ６上に押し出される
【００３６】
図９に示すように、ローラ上に押し出された紙巻きされた積層平海苔束Ｓは、コンベヤ４を介して切断装置５へ供給される。
【００３７】
切断装置５へ供給された紙巻きされた積層平海苔束Ｓは、図１０に示すように、切断装置５の複数の切断刃で紙を巻いたままで切断され、紙で巻いた短冊状の平海苔束が得られる。
【符号の説明】
【００３８】
１：積層平海苔束整列装置
２：紙巻き装置
３：紙供給装置
４：コンベヤ
５：切断装置
６：ローラ
７：ストッパー
８：整列板
９：プッシャー
１０：紙支持板
１１：紙曲げ装置
１２：積層平海苔束押圧板
１３：紙接着装置
１４：プッシャー
１５：起立用平板
１６：曲げ板
１７：吸盤
１８：アーム
１９：駆動装置
Ｓ：積層平海苔束
Ｐ：紙
【図１】
2019006495.tif 000003
【図２】
2019006495.tif 000004
【図３】
2019006495.tif 000005
【図４】
2019006495.tif 000006
【図５】
2019006495.tif 000007
【図６】
2019006495.tif 000008
【図７】
2019006495.tif 000009
【図８】
2019006495.tif 000010
【図９】
2019006495.tif 000011
【図１０】
2019006495.tif 000012